(57)【要約】【課題】本発明は、内部の空間活用度が高く、情報を容易に確認することができ、操作が簡便な洗濯物処理装置を提供することをその目的とする。【解決手段】本発明は、洗濯物投入口が形成されたキャビネットと、キャビネットに設置されて洗濯物投入口を開閉するドアと、キャビネットに配置されたコントロールパネルとを含み、コントロールパネルはフロントプレートの前方に突出するコントロールパネル本体を含み、コントロールパネル本体の前面は上側に傾斜して形成されて、キャビネットの内部の空間活用度を高めることができ、かつユーザがコントロールパネルの表示する情報をより容易に確認することができ、コントロールパネルの操作が容易であるという利点がある。【選択図】図１
2014233636.tif 000002
【特許請求の範囲】
【請求項１】
洗濯物投入口が形成されたキャビネットと、
前記キャビネットに設置されて前記洗濯物投入口を開閉するドアと、
前記キャビネットに配置されたコントロールパネルと、を含み、
前記コントロールパネルは、フロントプレートの前方に突出するコントロールパネル本体を含み、
前記コントロールパネル本体の前面は上側に傾斜したことを特徴とする、洗濯物処理装置。
【請求項２】
前記コントロールパネル本体は外部に露出する上面、下面、及び側面をさらに有する、請求項１に記載の洗濯物処理装置。
【請求項３】
前記コントロールパネル本体は、下面の前後方向幅が上面の前後方向幅より大きい、請求項２に記載の洗濯物処理装置。
【請求項４】
前記コントロールパネル本体の上下方向幅は、前記フロントプレート前面の上下方向幅より小さい、請求項１に記載の洗濯物処理装置。
【請求項５】
前記コントロールパネル本体は、
前記フロントプレートから前方に突出したフロントボディー部と、
前記フロントボディー部に配置し、前面が上向きに傾斜したウィンドウと、
を含む、請求項１に記載の洗濯物処理装置。
【請求項６】
前記コントロールパネル本体は、前記フロントボディー部の縁及びウィンドウの縁を共に囲むデコをさらに含む、請求項５に記載の洗濯物処理装置。
【請求項７】
前記フロントボディー部は内部に空間が形成され、
前記コントロールパネルは少なくとも一部が前記空間に挿入されたＰＣＢアセンブリをさらに含む、請求項５に記載の洗濯物処理装置。
【請求項８】
前記コントロールパネルは、前記フロントプレートで形成された開口部を貫通するように配置されるＰＣＢアセンブリを含み、
前記コントロールパネル本体は、前記ＰＣＢアセンブリに配置し、前面が上向きに傾斜したウィンドウと、
前記ＰＣＢアセンブリの縁及びウィンドウの縁を共に囲むデコと、
を含む、請求項１に記載の洗濯物処理装置。
【請求項９】
前記ドアは、一部が前記コントロールパネル本体の下面と上下方向に対向する、請求項１に記載の洗濯物処理装置。
【請求項１０】
前記ドアとコントロールパネル本体との間には前記コントロールパネル本体の高さより低い隙間が形成された、請求項９に記載の洗濯物処理装置。
【請求項１１】
前記ドアは外観を形成するアウターフレームを有し、
前記アウターフレームは前記ドアを閉めた時、少なくとも一部が前記キャビネットの外部に突出するように位置する、請求項１に記載の洗濯物処理装置。
【請求項１２】
前記アウターフレームは、外周面に取っ手が形成された、請求項１１に記載の洗濯物処理装置。
【請求項１３】
前記取っ手は、前記アウターフレームの外周面に形成されたリセスを含む、請求項１２に記載の洗濯物処理装置。
【請求項１４】
前記アウターフレームは、前記コントロールパネル本体の下面と上下方向に対向する取っ手が形成された、請求項１１に記載の洗濯物処理装置。
【請求項１５】
前記ドアの閉じた時、前記ドアの前後方向最大突出幅は、前記コントロールパネル本体の前後方向最大突出幅より大きい、請求項１に記載の洗濯物処理装置。
【請求項１６】
前記ドアの閉じた時、前記コントロールパネル本体の前後方向最大突出幅と、前記ドアの前後方向最大突出幅とは実質的に同一である、請求項１に記載の洗濯物処理装置。
【請求項１７】
前記コントロールパネルに配置されるドロワーパネルをさらに含み、
前記ドロワーパネルは、前記コントロールパネル本体の前面と実質的に同一平面に位置する傾斜面を有する、請求項１に記載の洗濯物処理装置。
【請求項１８】
前記ドロワーパネルは、前記傾斜面を有するドロワー取っ手を含む、請求項１７に記載の洗濯物処理装置。
【請求項１９】
前記ドロワーパネルは、ドロワー取っ手の後方に底面が開放された取っ手空間が形成され、
前記取っ手空間は、前記ドアの閉じた時、前記ドアの外周面の一部に向かい合う、請求項１８に記載の洗濯物処理装置。
【請求項２０】
前記コントロールパネルに配置されるドロワーパネルをさらに含み、
前記ドロワーパネルは、
前方に突出したドロワーボディー部と、
前記ドロワーボディのー部に配置し、前記コントロールパネル本体の前面と実質的に同一平面に位置する傾斜面を有するドロワーカバーと
を含む、請求項１に記載の洗濯物処理装置。
【請求項２１】
前記ドロワーパネルは、前記ドロワーボディー部の上部、左側、右側、及びドロワーカバーの縁を共に囲むドロワーデコをさらに含む、請求項２０に記載の洗濯物処理装置。
【請求項２２】
外観を形成するキャビネットと、
前記キャビネットの上部に前記キャビネットの前面より前方に位置し、前面が上側に傾斜した表示部とを含む、洗濯物処理装置。
【請求項２３】
前記表示部の前面と同一平面に位置する傾斜面を有するドロワーパネルをさらに含む、請求項２２に記載の洗濯物処理装置。
【請求項２４】
前記傾斜面は、前記表示部の前面の横に位置する、請求項２３に記載の洗濯物処理装置。
【請求項２５】
前記キャビネットに設置されたドアを含み、
前記ドアは、前記表示部と実質的に同一な突出幅を有する、請求項２３に記載の洗濯物処理装置。
【請求項２６】
前記表示部、ドア、及びドロワーパネルは、前記キャビネットから前方方向に向けて突出する、請求項２５に記載の洗濯物処理装置。
【発明の詳細な説明】
【技術分野】
【０００１】
本発明は洗濯物処理装置に関し、より詳しくは、洗濯物を洗濯または乾燥する洗濯物処理装置に関する。
【背景技術】
【０００２】
一般に、洗濯物処理装置は衣類のような洗濯物を洗濯または乾燥する装置、または洗濯及び乾燥を全て遂行することができる装置を含む概念である。
【０００３】
洗濯物処理装置は、洗濯物投入口が備えられたキャビネット、キャビネットの内部に備えられて洗濯水が格納されるタブ、タブの内部に回転可能に備えられたドラム、タブに洗濯水を供給する給水部、及び給水部から提供される洗濯水を通じてタブに洗剤を供給する洗剤供給部を含むことができる。
【発明の概要】
【発明が解決しようとする課題】
【０００４】
本発明は、内部の空間活用度が高く、情報を容易に確認することができ、操作が簡便な洗濯物処理装置を提供することをその目的とする。
【０００５】
本発明の他の目的は、コントロールパネルの製作自由度を高めることができる洗濯物処理装置を提供することにある。
【課題を解決するための手段】
【０００６】
本発明は上述した目的を達成するために、洗濯物投入口が形成されたキャビネットと、上記キャビネットに設置されて上記洗濯物投入口を開閉するドアと、上記キャビネットに配置されたコントロールパネルを含み、上記コントロールパネルはフロントプレートの前方に突出するコントロールパネル本体を含み、上記コントロールパネル本体の前面は上側に傾斜する。
【０００７】
上記コントロールパネル本体は、外部に露出する上面と下面と側面とをさらに有することができる。
【０００８】
上記コントロールパネル本体は、下面の前後方向幅が上面の前後方向幅より大きいことがある。
【０００９】
上記コントロールパネル本体の上下方向幅は上記フロントプレート前面の上下方向幅より小さいことがある。
【００１０】
上記コントロールパネル本体は、上記フロントプレートから前方に突出したフロントボディー部と、上記フロントボディー部に配置し、前面が上向き傾斜したウィンドウを含むことができる。上記コントロールパネル本体は、上記フロントボディー部の縁及びウィンドウの縁を共に囲むデコをさらに含むことができる。
【００１１】
上記フロントボディー部は、内部に空間が形成され、上記コントロールパネルは少なくとも一部が上記空間に挿入されたＰＣＢアセンブリをさらに含むことができる。
【００１２】
上記コントロールパネルは、上記フロントプレートで形成された開口部を貫通するように配置されるＰＣＢアセンブリを含むことができ、上記コントロールパネル本体は、上記ＰＣＢアセンブリに配置し、前面が上向き傾斜したウィンドウと、上記ＰＣＢアセンブリの縁及びウィンドウの縁を共に囲むデコを含むことができる。
【００１３】
上記ドアは、一部が上記コントロールパネル本体の下面と上下方向に対向することができる。
【００１４】
上記ドアとコントロールパネル本体との間には、上記コントロールパネル本体の高さより低い隙間が形成できる。
【００１５】
上記ドアは、外観を形成するアウターフレームを有することができ、上記アウターフレームは、上記ドアを閉じた時、少なくとも一部が上記キャビネットの外部に突出するように位置できる。
【００１６】
上記アウターフレームは、外周面に取っ手が形成できる。
【００１７】
上記取っ手は、上記アウターフレームの外周面に形成されたリセスを含むことができる。
【００１８】
上記アウターフレームは、上記コントロールパネル本体の下面と上下方向に対向する取っ手が形成できる。
【００１９】
上記ドアの閉じた時、上記ドアの前後方向最大突出幅は上記コントロールパネル本体の前後方向最大突出幅より大きいことがある。
【００２０】
上記ドアの閉じた時、上記コントロールパネル本体の前後方向最大突出幅と、上記ドアの前後方向最大突出幅とは実質的に同一でありうる。
【００２１】
上記コントロールパネルに配置されるドロワーパネルをさらに含むことができ、上記ドロワーパネルは上記コントロールパネル本体の前面と実質的に同一平面に位置する傾斜面を有することができる。
【００２２】
上記ドロワーパネルは、上記傾斜面を有するドロワー取っ手を含むことができる。
【００２３】
上記ドロワーパネルは、ドロワー取っ手の後方に底面が開放された取っ手空間が形成されることができ、上記取っ手空間は上記ドアの閉じた時、上記ドアの外周面の一部に向かい合うことができる。
【００２４】
上記コントロールパネルに配置されるドロワーパネルをさらに含むことができ、上記ドロワーパネルは前方に突出したドロワーボディー部と、上記ドロワーボディー部に配置し、上記コントロールパネル本体の前面と実質的に同一平面に位置する傾斜面を有するドロワーカバーを含むことができる。
【００２５】
上記ドロワーパネルは、上記ドロワーボディー部の上部、左側、右側、及びドロワーカバーの縁を共に囲むドロワーデコをさらに含むことができる。
【００２６】
本発明は、外観を形成するキャビネットと、上記キャビネットの上部に上記キャビネットの前面より前方に位置し、前面が上側に傾斜した表示部を含む。
【００２７】
上記表示部の前面と同一平面に位置する傾斜面を有するドロワーパネルをさらに含むことができる。
【００２８】
上記傾斜面は、上記表示部の前面の横に位置できる。
【００２９】
上記キャビネットに設置されたドアを含むことができ、上記ドアは上記表示部と実質的に同一な突出幅を有することができる。
【００３０】
上記表示部、ドア、及びドロワーパネルは、上記キャビネットから前方方向に向けて突出できる。
【発明の効果】
【００３１】
本発明では、コントロールパネル本体が外部に突出してコントロールパネルの製作自由度を高めることができる利点がある。
【００３２】
また、ドアのアウターフレームがキャビネットの外側に突出してドアの製作及び形状自由度を高めることができる。
【００３３】
また、キャビネットの内部の空間活用度を高めることができる利点がある。
【００３４】
また、コントロールパネル本体の前面下部とユーザの目との間の距離が最小化することができ、コントロールパネルが表示する情報をより容易に確認することができる利点がある。
【００３５】
また、コントロールパネル本体を傾斜した方向で操作できるので、洗濯物処理装置の前に立ったユーザは手首に無理を与えないながらコントロールパネルをより容易に、かつ便利に操作することができる利点がある。
【図面の簡単な説明】
【００３６】
【図１】本発明の第１実施形態に従う洗濯物処理装置の斜視図である。
【図２】本発明の第１実施形態に従う洗濯物処理装置の正面図である。
【図３】本発明の第１実施形態に従う洗濯物処理装置の側面図である。
【図４】本発明の第１実施形態に従う洗濯物処理装置の平面図である。
【図５】本発明の第１実施形態に従う洗濯物処理装置の断面図である。
【図６】本発明の第１実施形態に従う洗濯物処理装置の前面カバー斜視図である。
【図７】本発明の第１実施形態に従う洗濯物処理装置の前面カバー正面図である。
【図８】本発明の第１実施形態に従う洗濯物処理装置のコントロールパネル背面斜視図である。
【図９】本発明の第１実施形態に従う洗濯物処理装置のコントロールパネル平面図である。
【図１０】本発明の第１実施形態に従う洗濯物処理装置のコントロールパネルと前面カバーとの結合を示す側面図である。
【図１１】本発明の第１実施形態に従う洗濯物処理装置の洗剤供給部の外観を示す底面斜視図である。
【図１２】本発明の第１実施形態に従う洗濯物処理装置の取っ手の背面斜視図である。
【図１３】本発明の第１実施形態に従う洗濯物処理装置の取っ手の底面図である。
【図１４】本発明の第１実施形態に従う洗濯物処理装置のドアがオープンされた斜視図である。
【図１５】本発明の第１実施形態に従う洗濯物処理装置のドアが図示された断面図である。
【図１６】本発明の第１実施形態に従う洗濯物処理装置のドアの他の例がオープンされた斜視図である。
【図１７】図１６に図示されたドアが閉じた状態の斜視図である。
【図１８】本発明の第１実施形態に従う洗濯物処理装置のコントロールパネル本体の他の例が図示された斜視図である。
【図１９】本発明の第２実施形態に従う洗濯物処理装置の斜視図である。
【図２０】本発明の第２実施形態に従う洗濯物処理装置の正面図である。
【図２１】本発明の第２実施形態に従う洗濯物処理装置の側面図である。
【図２２】本発明の第２実施形態に従う洗濯物処理装置の平面図である。
【図２３】本発明の第２実施形態に従う洗濯物処理装置のコントロールパネルが図示された分解斜視図である。
【図２４】本発明の第２実施形態に従う洗濯物処理装置のドロワーパネルが図示された分解斜視図である。
【図２５】本発明の第３実施形態に従う洗濯物処理装置のコントロールパネルが概略的に図示された断面図である。
【発明を実施するための形態】
【００３７】
以下、添付した図面を参照して本発明に従う洗濯物処理装置の実施形態を説明すると、次の通りである。
【００３８】
本発明の第１実施形態に従う洗濯物処理装置は、洗濯物を投入する投入口がキャビネットの上部に備えられたトップローディング方式と、洗濯物を投入する投入口がキャビネットの前面（または、側面）に備えられたフロントローディング方式に全て適用できる。以下、フロントローディング方式の洗濯物処理装置を例に挙げて説明する。
【００３９】
また、洗濯物処理装置は洗濯物を処理する全ての装置を含む。具体的には、洗濯水を用いて洗濯物の汚染を除去する洗濯機、洗濯物の水分を除去して乾燥する乾燥器、及び乾燥機能を有する乾燥兼用洗濯機を含む。
【００４０】
また、乾燥器の場合、回転可能なドラムに熱風を供給して洗濯物を乾燥させるドラム乾燥器と、衣類を据え置く衣類収容空間に熱風を供給するキャビネットタイプの乾燥器（リフレッシャー）を含むことができる。
【００４１】
以下では洗濯物をキャビネットの前面に投入するフロントローディング方式であり、回転可能なドラムを備える洗濯機を例として本発明の実施形態に対して説明するが、本発明の実施形態は上述した多様な方式の洗濯物処理装置を排除しない。
【００４２】
図１から図５を参照して本発明の第１実施形態に従う洗濯物処理装置１について詳述する。
【００４３】
本発明の第１実施形態に従う洗濯物処理装置１は、外観を形成するキャビネット１０を含むことができる。そして、洗濯物処理装置１は、ユーザから制御情報の入力を受けるコントロールパネル３０を含むことができる。
【００４４】
洗濯物処理装置１は、キャビネット１０に洗濯物投入口１１０（図６参照）が形成できる。洗濯物投入口１１０は、キャビネット１０の前面に形成できる。洗濯物処理装置１は、キャビネット１０に設置されて洗濯物投入口１１０を開閉するドア２０を含むことができる。
【００４５】
キャビネット１０は、内部に洗濯物が収容される空間が備えられる。キャビネット１０の内部には回転可能なドラム４０が備えられる。この場合、洗濯物はドラム４０の内部に収容できる。本発明は、キャビネットタイプの乾燥器を排除せず、この場合、洗濯物処理装置はドラム４０を備えないことがある。
【００４６】
キャビネット１０は、洗濯物処理装置１の前面に配置される前面カバー１０２を含むことができる。また、上記前面カバー１０２に対向する位置に備えられる後面カバー１０４を含むことができる。キャビネット１０は、前面カバー１０２及び後面カバー１０４の上端に備えられるトッププレート１０１を含むことができ、底面にはベース（図示せず）が具備できる。また、キャビネット１０は前面カバー１０２と後面カバー１０４との間に側面カバー１０３をさらに含むことができる。前面カバー１０２、後面カバー１０４、トッププレート１０１、及び側面カバー１０３は、結合されて内部に洗濯物及び内部構成が収容される空間を形成する。
【００４７】
前面カバー１０２はキャビネット１０の前面を構成することができ、前面カバー１０２には洗濯物を投入することができる洗濯物投入口１１０が形成できる（図６参照）。洗濯物投入口１１０は開口部で形成されることができ、洗濯物処理装置は洗濯物投入口１１０を通じてドラム４０に洗濯物を投入したりドラム４０から洗濯物が引出されたりすることができる。
【００４８】
図５を参照すると、キャビネット１０の内部にはドラム４０が具備できる。ドラム４０は回転可能に備えられ、ドラム４０の内部には洗濯物が収容される。ユーザは処理しようとする洗濯物をドラム４０の内部に投入することができる。洗濯物処理装置が洗濯水を用いて洗濯物の汚染を除去する洗濯機の場合、洗濯物処理装置はタブ５０をさらに含むことができる。タブ５０は、ドラム４０の外側に備えられ、洗濯水を格納する役割をする。
【００４９】
キャビネット１０の前面、即ち、前面カバー１０２には洗濯のための洗剤を収容する洗剤供給部６０が具備できる。併せて、洗剤供給部６０はドロワーパネルタイプで構成されることができ、洗剤供給部６０にはその引入出を助けるためのドロワー取っ手６３が具備できる。
【００５０】
図６及び図７を参照して、本発明の第１実施形態に従う洗濯物処理装置の前面カバー１０２について詳述する。
【００５１】
前面カバー１０２はキャビネット１０の前面を構成することができ、洗濯物処理装置の前面に備えられる。前面カバー１０２は、フロントプレート１０５を含むことができる。前面カバー１０２は、フロントプレート１０５の上端からキャビネット１０の内方に延びる上部フランジ１００ａをさらに含むことができる。前面カバー１０２は、フロントプレート１０５の両側端からキャビネット１０の内方に延びる側部フランジ１００ｂをさらに含むことができる。前面カバー１０２は、フロントプレート１０５の下端からキャビネット１０の内方に延びる下部フランジ（図示せず）をさらに含むことができる。
【００５２】
以下、本明細書において、前面カバー１０２の前面はフロントプレート１０５またはフロントプレート１０５の前面を意味することがある。
【００５３】
コントロールパネル３０は、キャビネット１０に配置できる。前面カバー１０２またはコントロールパネル３０の背面のうちのいずれか１つは突出部３２０を備えることができ、残りの１つには突出部３２０が挿入されて収容されるリセス（recess）１２０を備えることができる。
【００５４】
前面カバー１０２に突出部３２０が備えられる場合、コントロールパネル３０の背面には前面カバー１０２の突出部３２０が挿入されるリセス１２０が具備できる。反対に、コントロールパネル３０の背面に突出部３２０が備えられる場合、前面カバー１０２にコントロールパネル３０の突出部３２０が挿入されるリセス１２０が具備できる。
【００５５】
以下、突出部３２０がコントロールパネル３０の背面に形成され、リセス１２０が前面カバー１０２に形成された場合を例に挙げて説明する。しかしながら、突出部３２０及びリセス１２０の位置を交換する変更例を排除せず、これは当業者により自明になされることができるので、突出部３２０及びリセス１２０の設置位置が変更された例は別途に説明しない。
【００５６】
前面カバー１０２は、コントロールパネル３０が結合されるリセス１２０を備える。リセス１２０はフロントプレート１０５に備えられ、リセス１２０にはコントロールパネル３０の背面に備えられた突出部３２０が挿入できる。
【００５７】
リセス１２０は閉鎖されたループＬに沿ってフロントプレート１０５の前面からキャビネット１０の内方に延びるフランジ１２１を含むことができる。リセス１２０はフランジ１２１から延びて、ループＬの内側空間を遮蔽する遮蔽部１２３をさらに含むことができる。
【００５８】
リセス１２０は、フランジ１２１により所定の幅Ｗ１（図１０参照）を有することができる。リセス１２０の前面は開口されており、リセス１２０の背面は遮蔽部１２３により遮蔽できる。コントロールパネル３０の突出部３２０はリセス１２０の開口された前面を通じてリセス１２０に挿入できる。
【００５９】
一方、リセス１２０はコントロールパネル３０の突出部３２０に形成された接続端子３３０（図８参照）と電気的に結合する連結端子１３０を備えることができる。リセス１２０の遮蔽部１２３に連結端子１３０を備えることができる。連結端子１３０は、接続端子３３０と電気的に連結されてコントロールパネル３０に電源を供給し、コントロールパネル３０と電気的信号情報を交換する窓口の役割をする。
【００６０】
リセス１２０は、フロントプレート１０５の上部に位置することが好ましい。リセス１２０は、フロントプレート１０５の上部中央部に位置することが好ましい。
【００６１】
リセス１２０は、フロントプレート１０５の上端から所定距離離隔して位置することができる。リセス１２０の上端とフロントプレート１０５の上端との間にはフロントプレート１０５の前面のうちの一部が備えられる。リセス１２０の上端とフロントプレート１０５の上端との間に位置する面は、リセス１２０が備えられないフロントプレート１０５の前面と同一な平面に位置することができる。
【００６２】
一方、フロントプレート１０５の中央部には洗濯物投入口１１０が具備できる。洗濯物投入口１１０は開口された空間であって、円形に形成できる。洗濯物投入口１１０を通じて洗濯物をドラム４０に引入したりドラム４０から引出したりすることができる。
【００６３】
洗濯物投入口１１０の外側にはドア２０のドアフレームが安着する定着部１４０が具備できる。安着部１４０はドアフレームのインナーフレーム２１０が安着する部分であって、フロントプレート１０５の前面からキャビネット１０の内方に凹入されて形成される。
【００６４】
併せて、安着部１４０にはドア２０のフック２６０が結合されるフック溝１４７が形成できる。安着部１４０にはドア２０のヒンジアーム２５０が挿入されるヒンジアーム挿入ホール１４１が形成できる。安着部１４０には、ドア２０のブラケット２４０が結合されるブラケット結合溝１４５が形成できる。安着部１４０及びドア２０が安着部１４０に結合される構成に対する詳細な説明は後述する。
【００６５】
フロントプレート１０５の一側には洗剤供給部６０が備えられる装着部１５０が具備できる。装着部１５０は開口された空間であって、洗剤供給部６０が装着部１５０に結合できる。一方、洗剤供給部６０の前面には後述するドロワー取っ手６３が結合されるフック溝（図示せず）が形成できる。
【００６６】
図８から図１０を参照して、コントロールパネル３０について詳述する。
【００６７】
図８及び図１０を参照すると、コントロールパネル３０は所定の幅Ｗ３を有するコントロールパネル本体３１０を含むことができる。また、コントロールパネル３０はコントロールパネル本体３１０の背面３１３に備えられる突出部３２０を含むことができる。突出部３２０は、コントロールパネル本体３１０と一体に形成できる。
【００６８】
コントロールパネル本体３１０は、ユーザから洗濯情報の入力を受けるか、または洗濯情報を表示する構成であって、その前面３１１に洗濯情報を入力する入力部及び洗濯情報を表示するディスプレイ（出力部）のうちの少なくとも１つが備えられ、好ましくは入力部及びディスプレイ（出力部）が具備できる。
【００６９】
コントロールパネル本体３１０は所定の幅Ｗ３を有し、外部に露出する前面３１１を含むことができる。コントロールパネル本体３１０は、前面カバー１０２の前面と対向する背面３１３を含む。この際、コントロールパネル本体３１０の前面３１１の上側に傾斜することができる。
【００７０】
洗濯物処理装置はユーザの目より低い位置に設置できる。この場合、コントロールパネル３０はユーザの目より低い位置に設置することができ、コントロールパネル３０の入力部及びディスプレイの視認性を高めるためにユーザの目の方向にコントロールパネル本体３１０の前面３１１は傾斜するように形成されることが好ましい。コントロールパネル本体３１０は、外部に露出する上面３１４、下面３１５、及び側面３１６をさらに有することができる。
【００７１】
したがって、コントロールパネル本体３１０の背面３１３が垂直な場合、コントロールパネル本体３１０の側面は台形の形状を有することができる。
【００７２】
コントロールパネル本体３１０の背面３１３には突出部３２０が具備できる。突出部３２０は、コントロールパネル本体３１０の背面３１３からキャビネット１０の内方に向けて突出できる。突出部３２０は、フロントプレート１０５に形成されたリセス１２０に挿入されてコントロールパネル３０がフロントプレート１０５に固定されて結合できる。
【００７３】
突出部３２０は所定の幅Ｗ２を有し、前面３２１及び背面３２３を含むことができる。突出部３２０の前面３２１はコントロールパネル本体３１０の背面３１３に結合されることができ、突出部３２０の背面３２３はリセス１２０の遮蔽部１２３に安着できる。
【００７４】
突出部３２０の背面３２３にはリセス１２０の連結端子１３０と電気的に結合する接続端子３３０が具備できる。突出部３２０の内部にはコントロールパネル３０のマイコン及び電源部のうち、少なくとも１つが備えられることができ、好ましくはコントロールパネル３０を駆動するための電気的な構成が突出部３２０の内部に具備できる。
【００７５】
突出部３２０の断面積はコントロールパネル本体３１０の背面３１３より小さいことが好ましい。コントロールパネル本体３１０の背面３１３に結合される突出部３２０の背面３２３の面積は、コントロールパネル本体３１０の背面３１３の面積より小さいことが好ましい。
【００７６】
突出部３２０は、フロントプレート１０５に形成されたリセス１２０に挿入できる。
【００７７】
コントロールパネル本体３１０は、フロントプレート１０５の前方に突出できる。コントロールパネル本体３１０は、フロントプレート１０５の前面から突出して設置できる。コントロールパネル本体３１０の前面は上側に傾斜することができる。
【００７８】
コントロールパネル本体３１０は短軸と長軸との比率が同一でない長方形の形状を有することができる。即ち、コントロールパネル本体３１０は矩形のバー（bar）形態を有することができる。コントロールパネル本体３１０は、長軸が前面カバー１０２の横方向に長く設置できる。
【００７９】
コントロールパネル本体３１０が長方形の形状を有する場合、突出部３２０がコントロールパネル本体３１０の背面３１３で占める面積がコントロールパネル本体３１０の背面３１３の面積の１／２から１／１０でありうる。好ましくは、突出部３２０はコントロールパネル本体３１０の背面３１３の面積の１／２から１／３でありうる。
【００８０】
突出部３２０は、コントロールパネル本体３１０の背面３１３で左、右のうちの一側に偏って具備できる。突出部３２０は、コントロールパネル本体３１０の背面３１３の長手方向に左側または右側に偏って具備できる。
【００８１】
リセス１２０はフロントプレート１０５の上部中央に位置することができ、突出部３２０をコントロールパネル本体３１０の背面３１３の中央に位置させる場合、コントロールパネル本体３１０と装着部１５０との干渉が発生することがある。
【００８２】
したがって、突出部３２０はコントロールパネル本体３１０の中央から一側に偏って備えられることが好ましい。突出部３２０は装着部１５０が位置する方向に偏って備えられることが好ましい。
【００８３】
図１０を参照して、コントロールパネル３０と前面カバー１０２との結合について詳述する。
【００８４】
コントロールパネル３０の突出部３２０は、フロントプレート１０５に形成されたリセス１２０に挿入できる。リセス１２０は、突出部３２０の外形に対応する形状を有することが好ましい。
【００８５】
突出部３２０は、リセス１２０の開口された前面を通じてリセス１２０の内側に挿入される。この際、リセス１２０の遮蔽部１２３と突出部３２０の背面３２３とは密着して結合される。この際、遮蔽部１２３に備えられた連結端子１３０と突出部３２０の背面３２３に備えられた接続端子３３０とは電気的に結合できる。
【００８６】
突出部３２０の上面３２５、下面３２７、及び側面は、リセス１２０のフランジ１２１と接するように結合できる。突出部３２０がリセス１２０に挿入されれば、フランジ１２１と突出部３２０の上面３２５、下面３２７、及び側面は当接して密着するように結合できる。
【００８７】
突出部３２０の上面３２５、下面３２７、及び側面のうちの少なくとも１つは、突出部３２０の中央部に向けて傾斜するように備えられる。リセス１２０のフランジ１２１及び遮蔽部１２３は、突出部３２０の外形に対応するので、フランジ１２１はリセス１２０の中央から外方に傾斜するように具備できる。突出部３２０の側面及びリセス１２０を傾斜して形成することによって、突出部３２０をリセス１２０に挿入させる場合、アライン（align）が容易でありうる。
【００８８】
一方、突出部３２０の前面３２１はフロントプレート１０５の外部に突出できる。突出部３２０の幅Ｗ２がリセス１２０の幅Ｗ１より広く形成できる。しかしながら、好ましくは突出部３２０の幅Ｗ２はリセス１２０の幅Ｗ１と同一なものが好ましい。ここで、リセス１２０の幅Ｗ１はリセス１２０が形成する空間の深さを意味する。即ち、幅Ｗ１で遮蔽部１２３の厚さは除外される。したがって、突出部３２０の前面３２１はフロントプレート１０５の前面と同一な平面に位置できる。
【００８９】
突出部３２０は、コントロールパネル本体３１０の背面３１３から突出するように備えられるので、突出部３２０がリセス１２０に挿入されて結合されれば、コントロールパネル本体３１０はフロントプレート１０５の外部に突出できる。言い換えると、コントロールパネル本体３１０は前面カバー１０２（フロントプレート１０５）の前方方向に突出して具備できる。
【００９０】
ここで、前方方向はキャビネット１０の外方を意味することができ、突出部３２０がリセス１２０に挿入されれば、コントロールパネル本体３１０の背面３１３はフロントプレート１０５の前面に当接するように結合される。また、コントロールパネル本体３１０の上面、下面、及び前面３１１は、フロントプレート１０５の外側に突出する。併せて、コントロールパネル本体３１０の背面３１３はフロントプレート１０５の前面に密着できる。
【００９１】
図１１から図１３を参照すると、洗剤供給部６０はキャビネット１０の内部に引入出可能なドロワーパネル６１を含むことができる。また、洗剤供給部６０はドロワーパネル６１の前面に備えられ、ドロワーパネル６１を引入出するためにユーザの手が把持されるドロワー取っ手６３を含むことができる。
【００９２】
ドロワーパネル６１は、内部に洗剤を収容する空間が形成できる。ドロワーパネル６１は、キャビネット１０の内部に引入された場合にはドロワーパネル６１の前面が前面カバー１０２の前面と同一な平面に位置できる。
【００９３】
ドロワー取っ手６３は、ドロワーパネル６１の前面に備えられる。ユーザは、ドロワー取っ手６３を把持してドロワーパネル６１をキャビネット１０の内部に引入または引出させることができる。
【００９４】
図１２及び図１３を参照すると、ドロワー取っ手６３の下面６３５及び背面６３３の一部には内側に凹入した切欠部６５０が形成される。
【００９５】
切欠部６５０はドロワー取っ手６３の前面には形成されず、ユーザは切欠部６５０に手を入れてドロワー取っ手６３を把持することができる。即ち、指を切欠部６５０に入れてドロワー取っ手６３の前面６３１を押したり引いたりする場合、ドロワーパネル６１は引入または引出させることができる。
【００９６】
ドロワー取っ手６３は、コントロールパネル本体３１０と同一な形状に形成できる。即ち、ドロワー取っ手６３はドロワーパネル６１の前面に備えられる場合、コントロールパネル本体３１０と一体感を与える形状に製作される。
【００９７】
ドロワー取っ手６３の幅はコントロールパネル本体３１０の幅Ｗ３と同一であり、ドロワー取っ手６３の前面６３１の高さＨはコントロールパネル本体３１０の前面３１１の高さと同一である。
【００９８】
併せて、ドロワー取っ手６３の前面６３１はコントロールパネル本体３１０の前面３１１と同一に上側に傾斜して形成できる。したがって、ドロワーパネル６１が引入された時、ドロワー取っ手６３の前面６３１はコントロールパネル本体３１０の前面３１１と同一な平面に位置できる。
【００９９】
ドロワー取っ手６３の背面６３３にはドロワー取っ手６３をドロワーパネル６１に結合させるための結合部材６４０が備えられる。
【０１００】
結合部材６４０は、係止段が備えられたフックでありうる。フック６４０は、ドロワーパネル６１の前面に形成されたフック溝（図示せず）に挿入されてドロワー取っ手６３を上記ドロワーパネル６１に結合させることができる。
【０１０１】
図１４及び図１５を参照して、ドア２０について詳述する。
【０１０２】
図１４及び図１５を参照すると、ドア２０は前面カバー１０２に形成された安着部１４０に安着するインナーフレーム２１０を含むことができる。また、ドア２０はインナーフレーム２１０に結合されるアウターフレーム２２０を含むことができる。ドア２０は、インナーフレーム２１０とアウターフレーム２２０との間に結合されるドアガラス２３０をさらに含むことができる。
【０１０３】
インナーフレーム２１０及びアウターフレーム２２０は着脱可能に結合されることができ、アウターフレーム２２０及びインナーフレーム２１０は分離可能に具備できる。
【０１０４】
インナーフレーム２１０は、安着部１４０の形状に対応する形状に製作される。安着部１４０は円形に形成されることができ、インナーフレーム２１０も円形に形成できる。インナーフレーム２１０は内部にドアガラス２３０が備えられるので、環状に具備できる。
【０１０５】
アウターフレーム２２０はインナーフレーム２１０の外側に結合され、キャビネット１０の外部に突出するように具備できる。アウターフレーム２２０の内側面は前面カバー１０２の前面と密着するか、または前面カバー１０２の前面で所定距離、キャビネット１０の外方に位置するように備えられる。アウターフレーム２２０の内側面とインナーフレーム２１０との間にドアガラス２３０が結合できる。
【０１０６】
図３を参照すると、アウターフレーム２２０は前面カバー１０２の外部に突出するように備えられることができ、ドア２０が閉じた時、アウターフレーム２２０はキャビネット１０の外方に突出するように具備できる。
【０１０７】
安着部１４０は、キャビネット１０の内方に凹入してインナーフレーム２１０を収容する。反対に、アウターフレーム２２０はキャビネット１０の外方に突出するように結合できる。アウターフレーム２２０は、前面カバー１０２の前面からキャビネット１０の外方に突出して結合されるということができる。アウターフレーム２２０は所定の幅を有し、一部が安着部１４０に収容できるが、アウターフレーム２２０は安着部１４０に収容されず、全体がキャビネット１０の外方に突出して結合されることが好ましい。
【０１０８】
図１４を参照すると、ドア２０は安着部１４０に結合されるブラケット２４０を含むことができる。また、ブラケット２４０から前面に突出したヒンジアーム２５０を含むことができる。ブラケット２４０は、安着部１４０に形成されたブラケット結合溝１４５（図７参照）に締結される。ヒンジアーム２５０は安着部１４０に形成されたヒンジアーム挿入溝１４１を貫通してキャビネット１０の内部に延長できる。
【０１０９】
ヒンジアーム２５０は、一端はインナーフレーム２１０とアウターフレーム２２０との間に備えられる。
【０１１０】
ヒンジアーム２５０の一端にはヒンジシャフト（図示せず）が備えられ、ヒンジシャフトはインナーフレーム２１０とアウターフレーム２２０との間に回動可能に結合される。
【０１１１】
インナーフレーム２１０にはヒンジアーム２５０が貫通するヒンジアーム挿入溝２１１に形成できる。
【０１１２】
インナーフレーム２１０の一側にはフック２６０が備えられ、フック２６０は安着部１４０に形成されたフック溝１４７に結合できる。フック２６０は、フック溝１４７に備えられるロッキングスイッチに結合できる。
【０１１３】
アウターフレーム２２０はインナーフレーム２１０と着脱可能に備えられ、前面カバー１０２の前面から突出するように備えられるので、安着部１４０の形状及びインナーフレーム２１０の形状に関わらず、多様な形状に製作できる。
【０１１４】
図１４を参照すると、アウターフレーム２２０はインナーフレーム２１０と同一に円形に形成できる。
【０１１５】
図１６及び図１７を参照すると、アウターフレーム２２０は四角形状に形成できる。前述したように、アウターフレーム２２０は前面カバー１０２の前面から外部に突出して備えられるので、インナーフレーム２１０及び安着部１４０の形状に対応しないように製作できる。したがって、アウターフレーム２２０の製作自由度を高めることができる利点がある。
【０１１６】
一方、コントロールパネル３０のコントロールパネル本体３１０は、図１８を参照すると、その長さが短く形成されることができ、コントロールパネル本体３１０は前面カバー１０２の前面から突出するように備えられるので、ドア２０や洗剤供給部６０と干渉を起こさない範囲で多様な形状及びサイズに製作できる。コントロールパネル本体３１０が図１８に示すように、相対的に小さな縦横比を有する場合、洗剤供給部６０のドロワーパネル６１に溝６３で形成された取っ手を形成することができる。
【０１１７】
洗濯物処理装置は、ユーザの要求によって互いに異なる価格帯の多様な形状の製品が市場に発表される。多様な製品を製作するためには、各製品に合う生産ラインを各々具備しなければならない。
【０１１８】
しかしながら、このように製品毎に生産ラインを別途に備える場合、各製品に合う生産ラインの設備を設置するための多くの空間を必要とし、生産ラインの設備が互いに異なるので、製作費が多くかかる短所がある。
【０１１９】
前述したように、本発明ではコントロールパネル本体３１０を前面カバーの外部に突出させてコントロールパネルの製作自由度を高めることができる利点がある。即ち、互いに異なる価格帯の洗濯物処理装置で同一な前面カバーを用いることができる利点がある。
【０１２０】
具体的に、各製品に同一のリセスの規格を同一に形成した前面カバーは用い、リセスに結合されるコントロールパネルのサイズが異なるように構成して各製品間に差別を置くことができる。多様な製品ラインに適用される前面カバー及びこれに形成されたリセスを規格化して、１つの前面カバーを用いて多様な製品ラインに適用することができる。この際、各製品の機能及び構成が相違するので、これを制御するためのコントロールパネルのサイズ及び機能も変わることができる。
【０１２１】
この際、本発明ではリセスに挿入される突出部を規格化し、上記突出部に結合される本体は前面カバーの外部に突出させて本体の製作自由度を高めることができる。即ち、入力部及びディスプレイが備えられるコントロールパネルを製品によって多様に製作することができ、多様な製品群に合うコントロールパネル本体を製作して規格化した前面カバーに結合させることによって、コントロールパネルのサイズまたは形状変化に関わらず、同一な前面カバーを用いることができる。
【０１２２】
したがって、多様な製品群によって前面カバーの生産ラインを別途に具備しなくてもよく、結果的に生産費用を低減し、生産ラインの設備が占める空間を縮めることができる利点がある。
【０１２３】
また、本発明において、ドアのアウターフレームは前面カバーの外側に突出させることによって、ドアの製作及び形状自由度を高めることができる。
【０１２４】
外部に露出するアウターフレームの形状によってユーザは製品の審美性が異なるように認識して多様な製品を互いに異なるように認識することができる。
【０１２５】
この際、アウターフレームの形状によって前面カバーの形状が変わる場合、前述したように、多様な前面カバーの生産ラインを構築しなければならない。しかしながら、本発明ではアウターフレームは前面カバーの外部に突出させて結合させることによって、前面カバーの形状に関わらず、アウターフレームの形状を変更させることができる利点がある。
【０１２６】
図１９から図２４を参照して本発明の第２実施形態に従う洗濯物処理装置について詳述する。
【０１２７】
本実施形態において、コントロールパネル３０'はコントロールパネル本体３１０'及びＰＣＢアセンブリ４００を含むことができる。
【０１２８】
コントロールパネル３０'は、フロントプレート１０５'を含むことができる。コントロールパネル３０'のフロントプレート１０５'は、洗濯物処理装置の前面の一部の外観を形成することができる。コントロールパネル３０'のフロントプレート１０５'は、本発明の第１実施形態に説明された前面カバー１０２のフロントプレート１０５の上側に位置できる。
【０１２９】
コントロールパネル３０'は、フロントプレート１０５'の上部に形成された上部フランジ１００ａ'を含むことができる。コントロールパネル３０'は、フロントプレート１０５'の横に形成された側部フランジ１００ｂ'をさらに含むことができる。コントロールパネル３０'は側部フランジ部１００b'の一対が互いに対向するように形成できる。コントロールパネル３０'は、フロントプレート１０５'の下部に形成された下部フランジ１００ｃ'をさらに含むことができる。コントロールパネル３０'は、前面カバー１０２のフロントプレート１０５の上部に位置するように設置できる。
【０１３０】
コントロールパネル３０'は、フロントプレート１０５'と、上部フランジ１００ａ'と、側部フランジ１００ｂ'と、下部フランジ１００ｃ'との間にＰＣＢアセンブリ４００の少なくとも一部が収容できるリア空間Ｓ１が形成できる。
【０１３１】
コントロールパネル３０'は、ドロワーパネル６１'が取り付けられる装着部１５０'が形成できる。装着部１５０は、側部フランジ１００ｂ'の横に位置できる。装着部１５０'は、側部フランジ１００ｂ'に一体形成できる。
【０１３２】
ＰＣＢアセンブリ４００は、操作部と表示部が備えられたＰＣＢ４０２を含むことができる。ＰＣＢアセンブリ４００は、ＰＣＢ４０２が設置されたＰＣＢカバー４０４をさらに含むことができる。ＰＣＢアセンブリ４００は、ＰＣＢカバー４０４がフロントプレート１０５'、側部フランジ１００ｂ'、上部フランジ１００ａ'、下部フランジ１００ｃ'のうちの少なくとも１つにスクリューなどの締結部材により締結できる。
【０１３３】
ＰＣＢ４０２には、少なくとも１つのディスプレイと、少なくとも１つのスイッチが設置できる。ディスプレイは洗濯物処理装置の情報を表示するものであって、ＬＥＤやＬＣＤなどの各種の電装部品を含むことができる。スイッチは洗濯物処理装置を操作することができるものであって、プッシュボタンスイッチやタッチスイッチなどの各種の電装部品を含むことができる。
【０１３４】
ＰＣＢアセンブリ４００は、ディスプレイの光を案内する光ガイド（図示せず）をさらに含むことができ、光ガイドはＰＣＢ４０２に設置できる。光ガイドは後述するウィンドウ３５０に対向するように設置できる。
【０１３５】
コントロールパネル本体３１０'は、キャビネット１０の上部にキャビネット１０の前面より前方に位置し、前面３１１が上側に傾斜した表示部３５０を含むことができる。コントロールパネル本体３１０'は、フロントプレート１０５'の前方に突出するように配置できる。コントロールパネル本体３１０'の前面３１１は上側に傾斜することができる。コントロールパネル本体３１０'は、外部に露出する上面３１４、下面３１５、及び側面３１６をさらに有することができる。コントロールパネル本体３１０'は、下面３１５の前後方向幅Ｌ１が上面３１４の前後方向幅Ｌ２より大きいことがある。コントロールパネル本体３１０の上下方向幅Ｈ１は、コントロールパネル３０のフロントプレート１０５'の前面の上下方向幅Ｈ２より小さいことがある。ここで、コントロールパネル本体３１０の上下方向幅Ｈ１はコントロールパネル本体３１０'の高さでありうる。
【０１３６】
即ち、コントロールパネル本体３１０'はフロントプレート１０５'の前面に前方方向に向けて立体的に突出した形状でありえ、コントロールパネル本体３１０'の前面３１１はフロントプレート１０５から前方に突出するように配置された部分のうち、最も前方位置で所定角度上向き傾斜するように位置できる。
【０１３７】
仮に、コントロールパネル本体３１０'がフロントプレート１０５'に前方方向に突出されず、コントロールパネル本体３１０'の前面３１１がフロントプレート１０５'の前面と同一な垂直平面に位置するようになれば、コントロールパネル本体３１０'の前面３１１は洗濯物処理装置の前後方向に洗濯物処理装置の前方方向のみを向けることができる。この場合、洗濯物処理装置の前方上側からコントロールパネル本体３１０'の前面の全体がよく見えないことがあり、コントロールパネル本体３１０'の操作も容易でないことがある。
【０１３８】
しかしながら、コントロールパネル本体３１０'がフロントプレート１０５'の前方方向に突出し、このように突出したコントロールパネル本体３１０'の前面３１１が洗濯物処理装置の前方の上側に向けるように所定角度傾斜すれば、ユーザは洗濯物処理装置の前方上側からコントロールパネル本体３１０'の前面３１１を見る時、傾斜方向にコントロールパネル本体３１０'の前面３１１の全体をよく見ることができ、コントロールパネル本体３１０'の前面３１１を通じて洗濯物処理装置の操作命令を便利に入力することができる。
【０１３９】
一方、コントロールパネル本体３１０'がフロントプレート１０５'の前方に突出されず、コントロールパネル３０'の上面の一部が所定角度傾斜するように陥没した形状に形成されれば、上記のように、コントロールパネル３０'が陥没した部分が洗濯物処理装置の前方上側からよく見えることができ、その操作も便利でありうる。しかしながら、コントロールパネル３０'の上面の一部の傾斜構造は洗濯物処理装置の内部空間は縮小することができ、洗濯物処理装置の内部の空間活用度が低くなることがある。
【０１４０】
即ち、コントロールパネル本体３１０'がフロントプレート１０５'の前方方向に突出すると共に、コントロールパネル本体３１０'の前面３１１が洗濯物処理装置の前方上側に向けるように所定角度傾斜するようになれば、洗濯物処理装置の内部の空間活用度を高めることができ、かつコントロールパネル本体３１０'の前面３１１がよく見えることができ、コントロールパネル本体３１０'の前面３１１を通じて洗濯物処理装置の操作命令を容易に入力できるようになる。
【０１４１】
ドア２０は、本発明の第１実施形態のように、外観を形成するアウターフレーム２２０を有し、アウターフレーム２２０はドア２０を閉めた時、少なくとも一部がキャビネット１０の外部に突出するように位置できる。ドア２０は、本発明の第１実施形態と同一な構成及び作用を有することができ、以下、本発明の第１実施形態と同一な構成及び作用に対する詳細な説明は省略する。
【０１４２】
ドア２０、ドロワーパネル６１'、及び表示部３５０は、キャビネット１０から前方方向に向けて突出できる。ドア２０は、表示部３５０と実質的に同一な突出幅を有することができる。
【０１４３】
ドア２０は、一部がコントロールパネル本体３１０'の下面３１５と上下方向に対向することができる。ドア２０とコントロールパネル本体３１０'との間には上記コントロールパネル本体３１０'の高さＨ１より低い隙間Ｇが形成できる。ドア２０とコントロールパネル本体３１０'との隙間Ｇは、ユーザがキャビネット１０の外部に突出したアウターフレーム２２０を手で握ることができる空いた空間になりうる。ユーザは、後述する取っ手４００の以外を通じてドア２０を容易に握ることができるようになる。
【０１４４】
一方、ドア２０とコントロールパネル本体３１０'との間の隙間Ｇはユーザの指が進入できる最小高さを有することが好ましく、ドア２０とコントロールパネル本体３１０'が全体的に一体感を与えることができる最大高さを有することが好ましい。
【０１４５】
ドア２０とコントロールパネル本体３１０'との隙間Ｇがコントロールパネル本体３１０'の高さＨ１より低い場合、ドア２０とコントロールパネル本体３１０'は前面カバー１０２と共に全体的に一体感を与えることができる。
【０１４６】
アウターフレーム２２０は、外周面２２０Ｂに取っ手２２０Ｃが形成できる。取っ手は、アウターフレーム２２０の外周面に形成されたリセスを含むことができる。
【０１４７】
取っ手２２０Ｃは、アウターフレーム２２０のうち、コントロールパネル本体３１０'の下面３１５と上下方向に対向するように形成できる。
【０１４８】
ドア２０はその閉じた時、少なくとも一部が前面カバー１０２のフロントプレート１０５の前方方向に突出されることができ、ドア２０の前後方向最大突出幅Ｌ３はコントロールパネル本体３１０'の前後方向最大突出幅Ｌ２と実質的に同一であるか、またはコントロールパネル本体３１０'の前後方向最大突出幅Ｌ２より大きいことがある。ここで、コントロールパネル本体３１０'の前後方向最大突出幅Ｌ２はコントロールパネル本体３１０'の下面３１５の前後方向幅と同一でありうる。
【０１４９】
ドロワーパネル６１'は、コントロールパネル３０'に配置できる。ドロワーパネル６１'は、本発明の第１実施形態と同一な構成及び作用を有することができ、以下、本発明の第１実施形態と同一な構成及び作用に対する詳細な説明は省略する。
【０１５０】
ドロワーパネル６１'は、コントロールパネル本体３１０'の前面３１１と実質的に同一平面に位置する傾斜面６１Ａを有することができる。ドロワーパネル６１'は、表示部３５０の前面３１１と同一平面に位置する傾斜面６１Ａを有することができる。傾斜面６１Ａは、表示部３５０の前面３１１の横に位置できる。
【０１５１】
ドロワーパネル６０'は、傾斜面６１Ａを有するドロワー取っ手６３を含むことができる。ドロワーパネル６１'は、ドロワー取っ手６３の後方に底面が開放された取っ手空間Ｓ４が形成できる。ドロワーパネル６１'に形成された取っ手空間Ｓ４は、本発明の第１実施形態のような切欠部６５０により形成できる。取っ手空間Ｓ４は、ドア２０の閉じた時、ドア２０の外周面２２０Ｂの一部に向かい合うことができる。
【０１５２】
以下、図２３を参照してコントロールパネル本体３１０'をより詳細に説明すると、次の通りである。
【０１５３】
コントロールパネル本体３１０'は、フロントプレート１０５'から前方に突出したフロントボディー部３４０と、フロントボディー部３4０に配置し、前面３１１が上向き傾斜したウィンドウ３５０を含むことができる。コントロールパネル本体３１０'は、フロントボディー部３４０の縁及びウィンドウ３５０の縁を共に囲むデコ３６０をさらに含むことができる。
【０１５４】
フロントボディー部３４０は、内部に空間Ｓ２が形成できる。フロントボディー部３４０の内部に形成される空間Ｓ２は、リア空間Ｓ１の前方に形成されるフロント空間Ｓ２でありえ、フロント空間Ｓ２はそのサイズがリア空間Ｓ１より小さいことがある。
【０１５５】
フロントボディー部３４０は、フロントパネル本体３１０'のフロントプレート１０５'から前方に一体に突出した上部３４１、下部３４２、及び側部３４３を含むことができる。フロントボディー部３４０の上部３４１とフロントボディー部３４０の下部３４２とは互いに平行に形成されることができ、その各々はフロントパネル本体３１０'の長方形に長く形成できる。フロントボディー部３４０の下部３４２は前後方向の幅がフロントボディー部３４０の上部３４１の前後方向幅より大きいことがある。
【０１５６】
フロントボディー部３４０の側部３４３は、フロントボディー部３４０の上部３４１とフロントボディー部３４０の下部３４２とを繋ぐように形成されることができ、フロントプレート１０５'から前方に一体に突出できる。フロントボディー部３４０は、左右方向に互いに対向する一対の側部３４３を含むことができる。
【０１５７】
フロントボディー部３４０は、上部３４１と下部３４２と側部３４３との間にはＰＣＢアセンブリ４００の少なくとも一部が挿入できるフロント空間Ｓ２が形成できる。フロントボディー部３４０のフロント空間Ｓ２には、ＰＣＢアセンブリ４００の光ガイドの一部が位置できる。
【０１５８】
フロントボディー部３４０は、前面が前方上側に向けて傾斜した前板３４４をさらに含むことができる。フロントボディー部３４０の前板３４４は、ウィンドウ３５０が安着できるウィンドウ安着面を有することができる。フロントボディー部３４０の前板３４４は、前方上側に向けて所定角度傾斜して形成できる。フロントボディー部３４０が前板３４４を含む場合、フロントボディー部３４０の前板３４４にはＰＣＢ４０２に設置された電装部品、特にタッチスイッチの一部がウィンドウ３５０に接触するように位置できる開口部３４５が形成できる。
【０１５９】
洗濯物処理装置は、前板３４４が水平面に対して鋭角の角度に傾斜することができるが、前板３４４と水平面との間の角度が小さいほどコントロールパネル本体３１０'の前面３１１が最大限上方に向けるように傾斜することができ、前板３４４が水平面の間の角度が大きいほどコントロールパネル本体３１０'の前面３１１が最大限前方方向に向けるように傾斜することができる。
【０１６０】
コントロールパネル本体３１０'は、デコ３６０を含まない場合、フロントボディー部３４０の上面、下面、及び側面が外部に露出することができ、この場合、フロントボディー部３４０の上面はコントロールパネル本体３１０'の上面３１４になることができ、フロントボディー部３４０の下面はコントロールパネル本体３１０'の下面３１５になることができ、フロントボディー部３４０の側面はコントロールパネル本体３１０'の側面３１６になることができる。
【０１６１】
ウィンドウ３５０は板体形状に形成できる。ウィンドウ３５０は洗濯物処理装置が外部に表示する情報が表現される表示部でありうる。このような表示部はキャビネット１０の上部にキャビネット１０の前面より前方に位置し、その前面３１１が上側に傾斜することができる。ディスプレイから照射された光は、ウィンドウ３５０に照射されることができ、ユーザはウィンドウ３５０を見て洗濯物処理装置の情報を確認することができる。
【０１６２】
ウィンドウ３５０は、ユーザが洗濯物処理装置を操作するために、タッチまたは押圧する操作板でありうる。ウィンドウ３５０は、タッチスクリーンをさらに含むことができる。ユーザは、ウィンドウ３５０をタッチまたは押圧することができ、ＰＣＢアセンブリ４００のスイッチは操作できる。ウィンドウ３５０は、フロントボディー部３４０の前方に位置できる。ウィンドウ３５０は、フロントボディー部３４０、ＰＣＢアセンブリ４００、及びデコ３６０のうち、少なくとも１つにスクリューなどの締結部材により締結されることが可能であり、フックなどの係止手段により締結されることも可能であり、勿論両面テープなどの粘着部材により付着されることも可能である。
【０１６３】
ウィンドウ３５０は、その前面がコントロールパネル本体３１０'の前面３１１になることができる。
【０１６４】
デコ３６０は、上部３６１、下部３６２、及び側部３６３のうち、少なくとも１つを含むことができる。デコ３６０は、フロントボディー部３４０の上、下、左、右を囲むように配置することが可能である。デコ３６０は、互いに対向する一対の側部３６３を含むことができ、上部３６１、下部３６２、及び一対の側部３６３がフロントボディー部３４０の上、下、左、右を囲むことができ、上部３６１、下部３６２、及び一対の側部３６３がウィンドウ３５０の上、下、左、右を囲むことができる。
【０１６５】
デコ３６０は、上部３６１と、下部３６２と、側部３６３との間に空間Ｓ３が形成できる。デコ３６０は、ウィンドウ３５０が前方方向に離脱しないようにウィンドウ３５０を拘束する係止部が形成できる。掛止部は、デコ３６０から空間Ｓ３に向けて突出できる。デコ３６０は、ウィンドウ３５０を固定するウィンドウホルダーとして機能することができる。デコ３６０は、上部３６１、下部３６２、及び側部３６３を全て含むことが好ましい。デコ３６０は、外表面にメッキ層が形成できる。デコ３６０は、外表面がクロムメッキされることができ、このようなメッキ層は洗濯物処理装置の装飾美を向上させることができる。
【０１６６】
デコ３６０は、フロントボディー部３４０の上、下、左、右を囲む場合、デコ３６０の上面はコントロールパネル本体３１０'の上面３１４になることができ、デコ３５０の下面はコントロールパネル本体３１０'の下面３１５になることができ、デコ３５０の側面はコントロールパネル本体３１０'の側面３１６になることができる。
【０１６７】
ＰＣＢアセンブリ４００は、少なくとも一部がフロントボディー部３４０の空間Ｓ２に挿入できる。ＰＣＢアセンブリ４００は、光ガイドがＰＣＢ４０２とウィンドウ３５０との間に位置するように設置することができ、光ガイドの少なくとも一部がフロントボディー部３４０のフロント空間Ｓ２に位置することができ、ＰＣＢカバー４０４は少なくとも一部がリア空間Ｓ１に位置できる。
【０１６８】
以下、図２４を参照してドロワーパネル６１'をより詳細に説明すると、次の通りである。
【０１６９】
ドロワーパネル６１'は、洗剤が収容される洗剤ボックス６２を含むことができる。ドロワーパネル６１'は、外部に露出するアウターボディー６４を含むことができる。
【０１７０】
洗剤ボックス６２は、洗剤が収容できる洗剤収容空間が形成できる。洗剤ボックス６２は、アウターボディー６４と一体に形成することが可能であり、スクリューなどの締結部材によりアウターボディー６４と締結できる。
【０１７１】
アウターボディー６４は、フロントプレート１０５"を含むことができる。アウターボディー６４のフロントプレート１０５"は、洗濯物処理装置の前面の一部の外観を形成することができる。アウターボディー６４は、フロントプレート１０５"の上部に形成された上部フランジ１００ａ"を含むことができる。アウターボディー６４は、フロントプレート１０５"の横に形成された側部フランジ１００ｂ"をさらに含むことができる。アウターボディー６４は、側部フランジ部１００ｂ"の一対が互いに対向するように形成できる。コントロールパネル３０'は、前面カバー１０２のフロントプレート１０５の上部に位置するように設置できる。
【０１７２】
ドロワーパネル６１'は、前方に突出したドロワーボディー部６１０と、ドロワーボディー部６１０に配置し、コントロールパネル本体３１０'の前面３１１と実質的に同一平面に位置する傾斜面６１Ａを有するドロワーカバー６２０を含むことができる。ドロワーパネル６１'は、ドロワーボディー部６１０の上部と左側と右側、及びドロワーカバー６２０の縁を共に囲むドロワーデコ６３０をさらに含むことができる。
【０１７３】
ドロワーボディー部６１０は、ドロワーパネル６１'のフロントプレート１０５"から前方に突出できる。アウターボディー６４には、本発明の第１実施形態のような取っ手が形成できる。ドロワーボディー部６１０は、ドロワーカバー６２０と共に取っ手として機能することができる。ドロワーボディー部６１０は、ドロワーパネル６１'のフロントプレート１０５"から立体的な形状に突出できる。
【０１７４】
ドロワーボディー部６１０は、図２３に図示されたコントロールパネル本体３１０'のフロントボディー部３４０の横に位置することができ、その左右方向幅がコントロールパネル本体３１０'のフロントボディー部３４０より短いことがある。
【０１７５】
ドロワーボディー部６１０は、ドロワーパネル６１'のフロントプレート１０５"から前方に一体に突出した上部６１１及び側部６１３を含むことができる。ドロワーボディー部６１０の上部６１１は、アウターボディー６４のフロントプレート１０５"の上部に左右方向に長く形成できる。
【０１７６】
ドロワーボディー部６１０の側部６１３は、アウターボディー６４のフロントプレート１０５"から前方に一体に突出できる。ドロワーボディー部６１０は、左右方向に互いに対向する一対の側部６１３を含むことができる。
【０１７７】
ドロワーボディー部６１０は、前面が前方上側に向けて傾斜した前板６１４をさらに含むことができる。ドロワーボディー部６１０の前板６１４は、ドロワーカバー６２０が安着できるカバー安着面を有することができる。ドロワーボディー部６１０の前板６１４は、前方上側に向けて所定角度傾斜して形成できる。ドロワーボディー部６１０の前板６１４は、図２３に図示されたフロントボディー部３４０の前板３４４と同一角度に傾斜することができる。
【０１７８】
ドロワーボディー部６１０は下面が開放された形状でありえ、ドロワーボディー部６１０は上部６１１と側部６１３と前板６１４との間には取っ手空間Ｓ４が形成できる。
【０１７９】
ドロワーカバー６２０は板体形状に形成できる。ドロワーカバー６２０は、キャビネット１０の上部にキャビネット１０の前面より前方に位置し、その前面６１Ａが上側に傾斜することができる。ドロワーカバー６２０は、その前面６１Ａが傾斜面でありうる。ドロワーカバー６２０は、ドロワーボディー部６１０の前方に配置できる。ドロワーカバー６２０は、ウィンドウ３５０と高さが同一でありえ、図２３に図示されたウィンドウ３５０の横に位置できる。ドロワーカバー６２０は、図２３に図示されたウィンドウ３５０の横に位置してウィンドウ３５０と一体感を与えることができ、洗濯物処理装置の上部を高級化することができる。
【０１８０】
ドロワーカバー６２０は、ドロワーボディー部６１０及びドロワーデコ６３０のうち、少なくとも１つにスクリューなどの締結部材により締結されることが可能であり、フックなどの係止手段により締結されることも可能であり、両面テープなどの粘着部材により付着されることが可能であることは勿論である。
【０１８１】
ウィンドウ３５０は、その前面がコントロールパネル本体３１０'の前面３１１になることができる。
【０１８２】
ドロワーデコ６３０は、上部６３１、下部６３２、及び側部６３４のうち、少なくとも１つを含むことができる。ドロワーデコ６３０は、ドロワーボディー部６１０の上部、左側、及び右側を囲むように配置されることが可能である。ドロワーデコ６３０は、互いに対向する一対の側部６３４を含むことができ、上部６３１、下部６３２、及び一対の側部６３４がドロワーボディー部６１０の上部、左側、及び右側を囲むことができる。
【０１８３】
ドロワーデコ６３０は、上部６３１と、下部６３２と、側部６３４との間に空間Ｓ５が形成できる。ドロワーデコ６３０は、ドロワーカバー６２０が前方方向に離脱しないようにドロワーカバー６２０を拘束する掛止部が形成できる。掛止部は、ドロワーデコ６３０から空間Ｓ５に向けて突出できる。ドロワーデコ６３０は、ドロワーカバー６２０を固定するカバーホルダーとして機能することができる。ドロワーデコ６３０は、上部６3１、下部６3２、及び側部６34を全て含むことが好ましい。ドロワーデコ６３０の上部６3１、下部６3２、及び側部６34は、ドロワーカバー６２０の縁を囲むことができる。
【０１８４】
ドロワーデコ６３０は、外表面にメッキ層が形成できる。ドロワーデコ６３０は、外表面がクロムメッキされることができ、このようなメッキ層は洗濯物処理装置の装飾美を向上させることができる。
【０１８５】
一方、ＰＣＢアセンブリ４００は少なくとも一部がフロントボディー部３４０の空間Ｓ２に挿入できる。ＰＣＢアセンブリ４００は、光ガイドがＰＣＢ４０２とウィンドウ３５０との間に位置するように設置されることができ、光ガイドの少なくとも一部がフロントボディー部３４０のフロント空間Ｓ２に位置することができ、ＰＣＢカバー４０４は少なくとも一部がリア空間Ｓ１に位置できる。
【０１８６】
洗濯物処理装置は、ＰＣＢアセンブリ４００のうち、リア空間Ｓ１に位置する部分が少なく、フロント空間Ｓ２に位置する部分が多いほど、洗濯物処理装置の内部に一層多い空いた空間が確保されることができ、最大限多い部分がフロントボディー部３４０のフロント空間Ｓ２に挿入されることが好ましい。
【０１８７】
図２５を参照して本発明の第３実施形態に従う洗濯物処理装置について詳述する。
【０１８８】
本実施形態の洗濯物処理装置は、コントロールパネル３０"がフロントプレート１０５'で形成された開口部１０５Ａを貫通するように配置されるＰＣＢアセンブリ４００"を含むことができる。そして、コントロールパネル本体３１０"はＰＣＢアセンブリ４００に配置し、前面が上向き傾斜したウィンドウ３５０"を含むことができる。コントロールパネル本体３１０"は、ＰＣＢアセンブリ４００"の縁及びウィンドウ３５０の縁を共に囲むデコ３６０"をさらに含むことができる。
【０１８９】
本実施形態の洗濯物処理装置は、コントロールパネル３０"の以外の構成及び作用が本発明の第２実施形態と同一または類似するので、それに対する詳細な説明は省略する。
【０１９０】
ＰＣＢアセンブリ４００"は、前部が開口部１０５Ａの前方に位置することができ、後部が開口部１０５Ａの後方に位置できる。ＰＣＢアセンブリ４００"は、前面４０１が前方上側に向ける方向に所定角度傾斜することができる。
【０１９１】
ＰＣＢアセンブリ４００"は、フロントプレート１０５'に形成された開口部１０５Ａに貫通するように配置される以外の構成及び作用が本発明の第２実施形態のＰＣＢアセンブリ４００と同一または類似するので、それに対する詳細な説明は省略する。
【０１９２】
ウィンドウ３５０"は、前部が前方に突出したＰＣＢアセンブリ４００"の前方に配置されることができ、ＰＣＢアセンブリ４００"の前面４０１の前方に配置できる。ウィンドウ３５０"は、ＰＣＢアセンブリ４００"の前面４０１の前方に配置される以外の構成及び作用が本発明の第２実施形態のウィンドウ３５０と同一または類似するので、それに対する詳細な説明は省略する。
【０１９３】
デコ３６０"は、本発明の第２実施形態のように、上部３６１、下部３６３、及び側部３６３を全て含むことができ、上部３６１、下部３６３、及び側部３６３がＰＣＢアセンブリ４００"の縁及びウィンドウ３５０の縁を共に囲むことができる。
【０１９４】
以上、説明した本発明は、本発明が属する技術分野で通常の知識を有する者に当たって、本発明の技術的思想を逸脱しない範囲内で種々の置換、変形、及び変更が可能であるので、前述した実施形態及び添付した図面により限定されるものでない。
【図１】
2014233636.tif 000003
【図２】
2014233636.tif 000004
【図３】
2014233636.tif 000005
【図４】
2014233636.tif 000006
【図５】
2014233636.tif 000007
【図６】
2014233636.tif 000008
【図７】
2014233636.tif 000009
【図８】
2014233636.tif 000010
【図９】
2014233636.tif 000011
【図１０】
2014233636.tif 000012
【図１１】
2014233636.tif 000013
【図１２】
2014233636.tif 000014
【図１３】
2014233636.tif 000015
【図１４】
2014233636.tif 000016
【図１５】
2014233636.tif 000017
【図１６】
2014233636.tif 000018
【図１７】
2014233636.tif 000019
【図１８】
2014233636.tif 000020
【図１９】
2014233636.tif 000021
【図２０】
2014233636.tif 000022
【図２１】
2014233636.tif 000023
【図２２】
2014233636.tif 000024
【図２３】
2014233636.tif 000025
【図２４】
2014233636.tif 000026
【図２５】
2014233636.tif 000027